【手続補正書】
【提出日】平成20年1月11日(2008.1.11)
【手続補正１】
【補正対象書類名】明細書
【補正対象項目名】００１０
【補正方法】変更
【補正の内容】
【００１０】
「Ｒｅｇｕｌａｔｉｏｎ  ｏｆ  Ｇｅｎｅｓ  Ｖｉａ  Ａｐｐｌｉｃａｔｉｏｎ  ｏｆ  Ｓｐｅｃｉｆｉｃ  ａｎｄ  Ｓｅｌｅｃｔｉｖｅ  Ｅｌｅｃｔｒｉｃａｌ  ａｎｄ  Ｅｌｅｃｔｒｏｍａｇｎｅｔｉｃ  Ｓｉｇｎａｌｓ（特定の選択的な電気信号および電磁信号の印加による遺伝子制御）」と題する上述の親特許出願では、罹患組織、または損傷組織の標的遺伝子を制御することを目的する電場を発生させるために使用される前記特定の選択的な電気信号および電磁信号の決定方法を開示した。本発明は、新鮮骨折、骨折の危険性のある骨、遷延治癒骨折、骨折の癒着不能、骨欠損症、脊椎固定、骨壊死または虚血壊死のうちの１つ、あるいは全ての治療における他の治療法の補助療法として、特定の選択的な電気信号および電磁信号によって生成される電場の印加を介して標的遺伝子ファミリーの発現、すなわち、骨形成タンパク質（複数可）遺伝子の発現を制御する方法を説明することにより、前記親出願で記載された技術をさらに発展させるものである。
この出願の発明に関連する先行技術文献情報としては、以下のものがある（国際出願日以降国際段階で引用された文献及び他国に国内移行した際に引用された文献を含む）。
【特許文献１】米国特許第４，４３０，９９９号明細書
【特許文献２】米国特許第４，４４２，８４６号明細書
【特許文献３】米国特許第４，４６７，８０８号明細書
【特許文献４】米国特許第４，４８７，８３４号明細書
【特許文献５】米国特許第４，５０６，６７４号明細書
【特許文献６】米国特許第４，５０９，５２０号明細書
【特許文献７】米国特許第４，５３５，７７５号明細書
【特許文献８】米国特許第４，５４９，５４７号明細書
【特許文献９】米国特許第４，６００，０１０号明細書
【特許文献１０】米国特許第４，６８３，８７３号明細書
【特許文献１１】米国特許第５，０１４，６９９号明細書
【特許文献１２】米国特許第５，０３８，７９７号明細書
【特許文献１３】米国特許第５，２６９，７４６号明細書
【特許文献１４】米国特許第５，２７３，０３３号明細書
【特許文献１５】米国特許第５，３３８，２８６号明細書
【特許文献１６】米国特許第５，３７４，２８３号明細書
【特許文献１７】米国特許第５，７４３，８４４号明細書
【特許文献１８】米国特許第５，９６８，５２７号明細書
【特許文献１９】米国特許第６，０８３，１４９号明細書
【特許文献２０】米国特許第６，１３２，３６２号明細書
【特許文献２１】米国特許第６，１８６，９４０号明細書
【特許文献２２】米国特許第６，２６１，２２１号明細書
【特許文献２３】米国特許第６，４８５，９６３号明細書
【特許文献２４】米国特許第６，６０５，０８９号明細書
【特許文献２５】米国特許第６，７４７，００４号明細書
【特許文献２６】米国特許出願公開第２００２／００５２６３４号明細書
【特許文献２７】米国特許出願公開第２００３／０２１１０８４号明細書
【特許文献２８】米国特許第４，４６７，８０９号明細書
【特許文献２９】米国特許第６，２９２，６９９号明細書
【特許文献３０】国際公開第００／０２５８５号パンフレット
【特許文献３１】国際公開第０１／６２３３６号パンフレット
【特許文献３２】国際公開第０５／０７０１３６号パンフレット
【特許文献３３】欧州特許第１１９８５８０号明細書
【非特許文献１】アーロン，Ｒ．Ｋ．ら（Ａａｒｏｎ，Ｒ．Ｋ．ｅｔ  ａｌ．）著，「大腿骨頭の骨壊死に対する保存療法（Ｔｈｅ  ｃｏｎｓｅｒｖａｔｉｖｅ  ｔｒｅａｔｍｅｎｔ  ｏｆ  ｏｓｔｅｏｎｅｃｒｏｓｉｓ  ｏｆ  ｔｈｅ  ｆｅｍｏｒａｌ  ｈｅａｄ）」，Ｃｌｉｎ．Ｏｒｔｈｏｐ．，１９８９年，第２４９巻，ｐ．２０９−２１８
【非特許文献２】アーロン，Ｒ．Ｋ．ら（Ａａｒｏｎ，Ｒ．Ｋ．ｅｔ  ａｌ．）著，「低エネルギーパルス電磁場を用いた刺激による実験的軟骨内骨化（Ｓｔｉｍｕｌａｔｉｏｎ  ｏｆ  ｅｘｐｅｒｉｍｅｎｔａｌ  ｅｎｄｏｃｈｏｎｄｒａｌ  ｏｓｓｉｆｉｃａｔｉｏｎ  ｂｙ  ｌｏｗ−ｅｎｅｒｇｙ  ｐｕｌｓｉｎｇ  ｅｌｅｃｔｒｏｍａｇｎｅｔｉｃ  ｆｉｅｌｄｓ）」，Ｊ．Ｂｏｎｅ  Ｍｉｎｅｒ．  Ｒｅｓ．，１９８９年１１月２日，第４巻，ｐ．２２７−２３３
【非特許文献３】バセット，Ｃ．Ａ．Ｌ．（Ｂａｓｓｅｔｔ，Ｃ．Ａ．Ｌ．）著，「低エネルギーパルス電磁場による生物医学工程の変化（Ｌｏｗ  ｅｎｅｒｇｙ  ｐｕｌｓｉｎｇ  ｅｌｅｃｔｒｏｍａｇｎｅｔｉｃ  ｆｉｅｌｄｓ  ｍｏｄｉｆｙ  ｂｉｏｍｅｄｉｃａｌ  ｐｒｏｃｅｓｓｅｓ）」，ＢｉｏＥｓｓａｙｓ，１９８７年，第６巻，第１号，ｐ．３６−４２
【非特許文献４】バセット，Ｃ．Ａ．Ｌ．ら（Ｂａｓｓｅｔｔ，Ｃ．Ａ．Ｌ．ｅｔ  ａｌ．）著，「大腿骨頭の骨壊死におけるスタインバーグ評価へのパルス電磁場の効果（Ｅｆｆｅｃｔｓ  ｏｆ  ｐｕｌｓｅｄ  ｅｌｅｃｔｒｏｍａｇｎｅｔｉｃ  ｆｉｅｌｄｓ  ｏｎ  Ｓｔｅｉｎｂｅｒｇ  ｒａｔｉｎｇｓ  ｏｆ  ｆｅｍｏｒａｌ  ｈｅａｄ  ｏｓｔｅｏｎｅｃｒｏｓｉｓ）」，Ｃｌｉｎ．Ｏｒｔｈｏｐ．，１９８９年９月，第２４６巻，ｐ．１７２−１８５
【非特許文献５】バセット，Ｃ．Ａ．Ｌ．ら（Ｂａｓｓｅｔｔ，Ｃ．Ａ．Ｌ．ｅｔ  ａｌ．）著，「パルス電磁場（ＰＥＭＳｓ）の治療用途における基本的及び実用的側面（Ｆｕｎｄａｍｅｎｔａｌ  ａｎｄ  ｐｒａｃｔｉｃａｌ  ａｓｐｅｃｔｓ  ｏｆ  ｔｈｅｒａｐｅｕｔｉｃ  ｕｓｅｓ  ｏｆ  ｐｕｌｓｅｄ  ｅｌｅｃｔｒｏｍａｇｎｅｔｉｃ  ｆｉｅｌｄｓ（ＰＥＭＳｓ）」，Ｃｒｉｔ．  Ｒｅｖ．Ｂｉｏｍｅｄ．Ｅｎｇ．，１９８９年，第１７巻，第５号
【非特許文献６】バセット，Ｃ．Ａ．Ｌ．ら（Ｂａｓｓｅｔｔ，Ｃ．Ａ．Ｌ．ｅｔ  ａｌ．）著，「非癒合骨折および不成功の関節固定におけるパルス電磁場治療（Ｐｕｌｓｉｎｇ  ｅｌｅｃｔｒｏｍａｇｎｅｔｉｃ  ｆｉｅｌｄ  ｔｒｅａｔｍｅｎｔ  ｉｎ  ｕｎｕｎｉｔｅｄ  ｆｒａｃｔｕｒｅｓ  ａｎｄ  ｆａｉｌｅｄ  ａｒｔｈｒｏｄｅｓｅｓ）」，ＪＡＭＡ，１９８２年２月５日，第２４７巻，第５号，ｐ．６２３−６２８
【非特許文献７】バインダー，Ａ．ら（Ｂｉｎｄｅｒ，Ａ．，ｅｔ  ａｌ．）著，「遷延性回旋筋腱板腱炎のパルス電磁場療法（Ｐｕｌｓｅｄ  ｅｌｅｃｔｒｏｍａｇｎｅｔｉｃ  ｆｉｅｌｄ  ｔｈｅｒａｐｙ  ｏｆ  ｐｅｒｓｉｓｔｅｎｔ  ｒｏｔａｔｏｒ  ｃｕｆｆ  ｔｅｎｄｏｎｉｔｉｓ）」，Ｌａｎｃｅｔ，１９８４年３月３１日，ｐ．６９５−６９８
【非特許文献８】ブライトン，Ｃ．Ｔ．ら（Ｂｒｉｇｈｔｏｎ，Ｃ．Ｔ．，ｅｔ  ａｌ．）著，「定常直流による癒着不能骨折治療に関する多施設共同研究（Ａ  ｍｕｌｔｉｃｅｎｔｅｒ  ｓｔｕｄｙ  ｏｆ  ｔｈｅ  ｔｒｅａｔｍｅｎｔ  ｏｆ  ｎｏｎ−ｕｎｉｏｎ  ｗｉｔｈ  ｃｏｎｓｔａｎｔ  ｄｉｒｅｃｔ  ｃｕｒｒｅｎｔ）」，Ｊ．Ｂｏｎｅ  ａｎｄ  Ｊｏｉｎｔ  Ｓｕｒｇｅｒｙ，１９８１年１月，第６２−Ａ巻，第１号，ｐ．２−１３
【非特許文献９】ブライトン，Ｃ．Ｔ．ら（Ｂｒｉｇｈｔｏｎ，Ｃ．Ｔ．，ｅｔ  ａｌ．）著，「静電結合型電場による不応性癒着不能骨折の治療（Ｔｒｅａｔｍｅｎｔ  ｏｆ  ｒｅｃａｌｃｉｔｒａｎｔ  ｎｏｎ−ｕｎｉｏｎ  ｗｉｔｈ  ａ  ｃａｐａｃｉｔｉｖｅｌｙ  ｃｏｕｐｌｅｄ  ｅｌｅｃｔｒｉｃａｌ  ｆｉｅｌｄ」，Ｊ．Ｂｏｎｅ  ａｎｄ  Ｊｏｉｎｔ  Ｓｕｒｇｅｒｙ，１９８５年４月，第６７−Ａ巻，第４号，ｐ．５７７−５８５
【非特許文献１０】ブライトン，Ｃ．Ｔ．ら（Ｂｒｉｇｈｔｏｎ，Ｃ．Ｔ．，ｅｔ  ａｌ．）著，「ラットの椎骨における去勢誘発性骨粗鬆症の静電結合型電気信号による治療（Ｔｒｅａｔｍｅｎｔ  ｏｆ  ｃａｓｔｒａｔｉｏｎ−ｉｎｄｕｃｅｄ  ｏｓｔｅｏｐｏｒｏｓｉｓ  ｂｙ  ａ  ｃａｐａｃｉｔｉｖｅｌｙ  ｃｏｕｐｌｅｄ  ｅｌｅｃｔｒｉｃａｌ  ｓｉｇｎａｌ  ｉｎ  ｒａｔ  ｖｅｒｔｅｂｒａｅ）」，Ｊ．Ｂｏｎｅ  ａｎｄ  Ｊｏｉｎｔ  Ｓｕｒｇｅｒｙ，１９８９年２月，第７１−Ａ巻，第２号，ｐ．２２８−２３６
【非特許文献１１】ブライトン，Ｃ．Ｔ．ら（Ｂｒｉｇｈｔｏｎ，Ｃ．Ｔ．，ｅｔ  ａｌ．）著，「ウシ成長板軟骨細胞に対する短期静電結合型刺激後のｃＡＭＰ産生の増加（Ｉｎｃｒｅａｓｅｄ  ｃＡＭＰ  ｐｒｏｄｕｃｔｉｏｎ  ａｆｔｅｒ  ｓｈｏｒｔ−ｔｅｒｍ  ｃａｐａｃｉｔｉｖｅｌｙ  ｃｏｕｐｌｅｄ  ｓｔｉｍｕｌａｔｉｏｎ  ｉｎ  ｂｏｖｉｎｅ  ｇｒｏｗｔｈ  ｐｌａｔｅ  ｃｈｏｎｄｒｏｃｙｔｅｓ）」，Ｊ．Ｏｒｔｈｏｐ．Ｒｅｓ．，１９８８年，第６巻，ｐ．５５２−５５８
【非特許文献１２】ブライトン，Ｃ．Ｔ．ら（Ｂｒｉｇｈｔｏｎ，Ｃ．Ｔ．，ｅｔ  ａｌ．）著，「ラットの除神経性／廃用性骨粗鬆症の静電結合型電気信号による治療：骨形成及び骨吸収における効果（Ｔｒｅａｔｍｅｎｔ  ｏｆ  ｄｅｎｅｒｖａｔｉｏｎ／ｄｉｓｕｓｅ  ｏｓｔｅｏｐｏｒｏｓｉｓ  ｉｎ  ｔｈｅ  ｒａｔ  ｗｉｔｈ  ａ  ｃａｐａｃｉｔｉｖｅｌｙ  ｃｏｕｐｌｅｄ  ｅｌｅｃｔｒｉｃａｌ  ｓｉｇｎａｌ：ｅｆｆｅｃｔｓ  ｏｎ  ｂｏｎｅ  ｆｏｒｍａｔｉｏｎ  ａｎｄ  ｂｏｎｅ  ｒｅｓｏｒｐｔｉｏｎ）」，Ｊ．Ｏｒｔｈｏｐ．Ｒｅｓ．，１９８８年，第６巻，ｐ．６７６−６８４
【非特許文献１３】ブライトン，Ｃ．Ｔ．ら（Ｂｒｉｇｈｔｏｎ，Ｃ．Ｔ．，ｅｔ  ａｌ．）著，「多様な静電結合型電場への曝露によるウサギの腓骨骨折治癒（Ｆｒａｃｔｕｒｅ  ｈｅａｌｉｎｇ  ｉｎ  ｔｈｅ  ｒａｂｂｉｔ  ｆｉｂｕｌａ  ｗｈｅｎ  ｓｕｂｊｅｃｔｅｄ  ｔｏ  ｖａｒｉｏｕｓ  ｃａｐａｃｉｔｉｖｅｌｙ  ｃｏｕｐｌｅｄ  ｅｌｅｃｔｒｉｃａｌ  ｆｉｅｌｄｓ）」，Ｊ．Ｏｒｔｈｏｐ．Ｒｅｓ．，１９８５年，第３巻，ｐ．３３１−３４０
【非特許文献１４】ブライトン，Ｃ．Ｔ．ら（Ｂｒｉｇｈｔｏｎ，Ｃ．Ｔ．，ｅｔ  ａｌ．）著，「静電結合型電場に対する体外骨細胞の反応（Ｉｎ  ｖｉｔｒｏ  ｂｏｎｅ−ｃｅｌｌ  ｒｅｓｐｏｎｓｅ  ｔｏ  ａ  ｃａｐａｃｉｔｉｖｅｌｙ  ｃｏｕｐｌｅｄ  ｅｌｅｃｔｒｉｃａｌ  ｆｉｅｌｄ）」，Ｃｌｉｎ．Ｏｒｔｈｏｐ．Ｒｅｌａｔｅｄ  Ｒｅｓ．，１９９２年１２月，第２８５巻，ｐ．２５５−２６２
【非特許文献１５】ブライトン，Ｃ．Ｔ．ら（Ｂｒｉｇｈｔｏｎ，Ｃ．Ｔ．，ｅｔ  ａｌ．）著，「電気刺激を受けた骨細胞におけるシグナル伝達（Ｓｉｇｎａｌ  ｔｒａｎｓｄｕｃｔｉｏｎ  ｉｎ  ｅｌｅｃｔｒｉｃａｌｌｙ  ｓｔｉｍｕｌａｔｅｄ  ｂｏｎｅ  ｃｅｌｌｓ）」，Ｊ．Ｂｏｎｅ  Ｊｏｉｎｔ  Ｓｕｒｇ．Ａｍ．，２００１年，第８３−Ａ巻，第１０号，ｐ．１５１４−１５２３
【非特許文献１６】カーターＥ．Ｌ．ら（Ｃａｒｔｅｒ，Ｅ．Ｌ．，ｅｔ  ａｌ．）著，「電気刺激中のラット椎体における場分布：パラメータ研究（Ｆｉｅｌｄ  ｄｉｓｔｒｉｂｕｔｉｏｎｓ  ｉｎ  ｖｅｒｔｅｂｒａｌ  ｂｏｄｉｅｓ  ｏｆ  ｔｈｅ  ｒａｔ  ｄｕｒｉｎｇ  ｅｌｅｃｔｒｉｃａｌ  ｓｔｉｍｕｌａｔｉｏｎ：ａ  ｐａｒａｍｅｔｒｉｃ  ｓｔｕｄｙ）」，ＩＥＥＥ  Ｔｒａｎｓ．ｏｎ  Ｂｉｏｍｅｄ．Ｅｎｇ．，１９８９年３月，第３６巻，第３号，ｐ．３３３−３４５
【非特許文献１７】グッドマン，Ｒ．ら（Ｇｏｏｄｍａｎ，Ｒ．，ｅｔ  ａｌ．）ら著，「唾液腺細胞の低周波電磁場への曝露によるポリペプチド合成の変化（Ｅｘｐｏｓｕｒｅ  ｏｆ  ｓａｌｉｖａｒｙ  ｇｌａｎｄ  ｃｅｌｌｓ  ｔｏ  ｌｏｗ−ｆｒｅｑｕｅｎｃｙ  ｅｌｅｃｔｒｏｍａｇｎｅｔｉｃ  ｆｉｅｌｄｓ  ａｌｔｅｒｓ  ｐｏｌｙｐｅｐｔｉｄｅ  ｓｙｎｔｈｅｓｉｓ）」，（米国）Ｐｒｏｃ．Ｎａｔｌ．Ａｃａｄ．Ｓｃｉ．，１９８８年６月，第８５巻，ｐ．３９２８−３９３２
【非特許文献１８】グッドウィン，Ｃ．Ｂ．ら（Ｇｏｏｄｗｉｎ，Ｃ．Ｂ．，ｅｔ  ａｌ．）著，「腰椎固定術の補助療法としての静電結合型電気刺激に関する二重盲検試験（Ａ  ｄｏｕｂｌｅ−ｂｌｉｎｄ  ｓｔｕｄｙ  ｏｆ  ｃａｐａｃｉｔｉｖｅｌｙ  ｃｏｕｐｌｅｄ  ｅｌｅｃｔｒｉｃａｌ  ｓｔｉｍｕｌａｔｉｏｎ  ａｓ  ａｎ  ａｄｊｕｎｃｔ  ｔｏ  ｌｕｍｂａｒ  ｓｐｉｎａｌ  ｆｕｓｉｏｎｓ）」，Ｓｐｉｎｅ，１９９９年，第２４巻，第１３号，ｐ．１３４９−１３５６
【非特許文献１９】グロジンスキー，Ａ．Ｊ．（Ｇｒｏｄｚｉｎｓｋｙ，Ａ．Ｊ．）著，「結合組織の電気機械的及び物理化学的特性（Ｅｌｅｃｔｒｏｍｅｃｈａｎｉｃａｌ  ａｎｄ  ｐｈｙｓｉｃｏｃｈｅｍｉｃａｌ  ｐｒｏｐｅｒｔｉｅｓ  ｏｆ  ｃｏｎｎｅｃｔｉｖｅ  ｔｉｓｓｕｅ）」，Ｃｒｉｔ．Ｒｅｖ．Ｂｉｏｍｅｄ．Ｅｎｇｎｇ．，１９８３年，第９巻，第２号，ｐ．１３３−１９８
【非特許文献２０】ハリソン，Ｍ．Ｈ．Ｍ．ら（Ｈａｒｒｉｓｏｎ，Ｍ．Ｈ．Ｍ．，ｅｔ  ａｌ．）著，「ペルテス病におけるパルス電磁場の使用：パイロット研究の報告（Ｕｓｅ  ｏｆ  ｐｕｌｓｅｄ  ｅｌｅｃｔｒｏｍａｇｎｅｔｉｃ  ｆｉｅｌｄｓ  ｉｎ  ｐｅｒｔｈｅｓ  ｄｉｓｅａｓｅ：ｒｅｐｏｒｔ  ｏｆ  ａ  ｐｉｌｏｔ  ｓｔｕｄｙ）」，Ｊ．Ｐｅｄｉａｔｒ．Ｏｒｔｈｏｐ．，１９８４年，第４巻，ｐ．５７９−５８４
【非特許文献２１】ジョーンズ，Ｄ．Ｂ．ら（Ｊｏｎｅｓ，Ｄ．Ｂ．，ｅｔ  ａｌ．）著，「間接的なｃＡＭＰ媒介によるマウス黒色腫細胞の分化及び分裂におけるパルス電磁場効果（ＰＥＭＦ  ｅｆｆｅｃｔｓ  ｏｎ  ｄｉｆｆｅｒｅｎｔｉａｔｉｏｎ  ａｎｄ  ｄｉｖｉｓｉｏｎ  ｉｎ  ｍｉｒｉｎｅ  ｍｅｌａｎｏｍａ  ｃｅｌｌｓ  ａｒｅ  ｍｅｄｉａｔｅｄ  ｉｎｄｉｒｅｃｔｌｙ  ｔｈｒｏｕｇｈ  ｃＡＭＰ）」，Ｔｒａｎｓ．ＢＲＡＧＳ  ６，１９８６年，ｐ．５１
【非特許文献２２】ロリッヒ，Ｄ．Ｇ．ら（Ｌｏｒｉｃｈ，Ｄ．Ｇ．，ｅｔ  ａｌ．）著，「骨細胞の静電結合に対する反応を媒介する生化学的経路（Ｂｉｏｃｈｅｍｉｃａｌ  ｐａｔｈｗａｙ  ｍｅｄｉａｔｉｎｇ  ｔｈｅ  ｒｅｓｐｏｎｓｅ  ｏｆ  ｂｏｎｅ  ｃｅｌｌｓ  ｔｏ  ｃａｐａｃｉｔｉｖｅ  ｃｏｕｐｌｉｎｇ）」，Ｃｌｉｎ．Ｏｒｔｈｏｐ．ａｎｄ  Ｒｅｌａｔｅｄ  Ｒｅｓ．，１９９８年，第３５０巻，ｐ．２４６−２５６
【非特許文献２３】マサード，Ｌ．ら（Ｍａｓｓａｒｄｏ，Ｌ．，ｅｔ  ａｌ．）著，「膝関節の変形性関節症：８年間の前向き研究（Ｏｓｔｅｏａｒｔｈｒｉｔｉｓ  ｏｆ  ｔｈｅ  ｋｎｅｅ  ｊｏｉｎｔ：ａｎ  ｅｉｇｈｔ  ｙｅａｒ  ｐｒｏｓｐｅｃｔｉｖｅ  ｓｔｕｄｙ）」，Ａｎｎ  Ｒｈｅｕｍ  Ｄｉｓ．，１９８９年，第４８巻，ｐ．８９３−８９７
【非特許文献２４】ムーニ，Ｖ．（Ｍｏｏｎｅｙ，Ｖ．）著，「パルス電磁場の腰椎間固定に対する有効性に関する無作為化二重盲検試験（Ａ  ｒａｎｄｏｍｉｚｅｄ  ｄｏｕｂｌｅ−ｂｌｉｎｄ  ｐｒｏｓｐｅｃｔｉｖｅ  ｓｔｕｄｙ  ｏｆ  ｔｈｅ  ｅｆｆｉｃａｃｙ  ｏｆ  ｐｕｌｓｅｄ  ｅｌｅｃｔｒｏｍａｇｎｅｔｉｃ  ｆｉｅｌｄｓ  ｆｏｒ  ｉｎｔｅｒ  ｂｏｄｙ  ｌｕｍｂａｒ  ｆｕｓｉｏｎｓ）」，Ｓｐｉｎｅ，１９９０年，第１５巻，第７号，ｐ．７０８−７１２
【非特許文献２５】ノートンＬ．Ａ．ら（Ｎｏｒｔｏｎ，Ｌ．Ａ．，ｅｔ  ａｌ．）著，「組織培養中における軟骨芽細胞の形質発現のパルス電磁場による変化（Ｐｕｌｓｅｄ  ｅｌｅｃｔｒｏｍａｇｎｅｔｉｃ  ｆｉｅｌｄｓ  ａｌｔｅｒ  ｐｈｅｎｏｔｙｐｉｃ  ｅｘｐｒｅｓｓｉｏｎ  ｉｎ  ｃｈｏｎｄｒｏｂｌａｓｔｓ  ｉｎ  ｔｉｓｓｕｅ  ｃｌｕｔｕｒｅ）」，Ｊ．Ｏｒｔｈｏｐ．Ｒｅｓ．，１９８８年，第６巻，ｐ．６８５−６８９
【非特許文献２６】ピエンコフスキー，Ｄ．ら（Ｐｉｅｎｋｏｗｓｋｉ，Ｄ．，ｅｔ  ａｌ．）著，「骨切断されたウサギの腓骨に対する低出力電磁刺激（Ｌｏｗ−ｐｏｗｅｒ  ｅｌｅｃｔｒｏｍａｇｎｅｔｉｃ  ｓｔｉｍｕｌａｔｉｏｎ  ｏｆ  ｏｓｔｅｏｔｏｍｉｚｅｄ  ｒａｂｂｉｔ  ｆｉｂｕｉａｅ）」，Ｊ．ｏｆ  Ｂｏｎｅ  &  Ｊｏｉｎｔ  Ｓｕｒｇｅｒｙ，１９９４年，第７６−Ａ巻，第４号，ｐ．４８９−５０１
【非特許文献２７】ロダン，Ｇ．Ａ．ら（Ｒｏｄａｎ，Ｇ．Ａ．，ｅｔ  ａｌ．）著，「振動電場によって刺激された軟骨細胞におけるＤＮＡ合成（ＤＮＡ  ｓｙｎｔｈｅｓｉｓ  ｉｎ  ｃａｒｔｉｌａｇｅ  ｃｅｌｌｓ  ｉｓ  ｓｔｉｍｕｌａｔｅｄ  ｂｙ  ｏｓｃｉｌｌａｔｉｎｇ  ｅｌｅｃｔｒｉｃ  ｆｉｅｌｄｓ）」，Ｓｃｉｅｎｃｅ，１９７８年２月１０日，第１９９巻，ｐ．６９０−６９２
【非特許文献２８】ライヤビーＪ．Ｔ．ら（Ｒｙａｂｙ，Ｊ．Ｔ．，ｅｔ  ａｌ．）著，「パルス電磁場の発癌遺伝子タンパク質のリン酸化反応及び発現に及ぼす影響（Ｐｕｌｓｉｎｇ  ｅｌｅｃｔｒｏｍａｇｎｅｔｉｃ  ｆｉｅｌｄｓ  ａｆｆｅｃｔ  ｔｈｅ  ｐｈｏｓｐｈｏｒｙｌａｔｉｏｎ  ａｎｄ  ｅｘｐｒｅｓｓｉｏｎ  ｏｆ  ｏｎｃｏｇｅｎｅ  ｐｒｏｔｅｉｎｓ）」，Ｔｒａｎｓ．  ＢＲＡＧＳ  ６，１９８６年，ｐ．７８
【非特許文献２９】ライヤビーＪ．Ｔ．ら（Ｒｙａｂｙ，Ｊ．Ｔ．，ｅｔ  ａｌ．）著，「マウスのメラノーマ細胞のタンパク質リン酸化反応及びタンパク質合成における電磁場の効果（Ｔｈｅ  ｅｆｆｅｃｔ  ｏｆ  ｅｌｅｃｔｒｏｍａｇｎｅｔｉｃ  ｆｉｅｌｄｓ  ｏｎ  ｐｒｏｔｅｉｎ  ｐｈｏｓｐｈｏｒｙｌａｔｉｏｎ  ａｎｄ  ｓｙｓｔｈｅｓｉｓ  ｉｎ  ｍｕｒｉｎｅ  ｍｅｌａｎｏｍａ  ｃｅｌｌｓ）」，ＢＲＡＧＳ，ｐ．３２
【非特許文献３０】ワング，Ｗ．ら（Ｗａｎｇ，Ｗ．，ｅｔ  ａｌ．）著，「ＰＤＧＦ−Ａの増加レベルが機械的刺激によって誘発された骨芽細胞増殖の増加に及ぼす影響（Ｔｈｅ  ｉｎｃｒｅａｓｅｄ  ｌｅｖｅｌ  ｏｆ  ＰＤＧＦ−Ａ  ｃｏｎｔｒｉｂｕｔｅｓ  ｔｏ  ｔｈｅ  ｉｎｃｒｅａｓｅｄ  ｐｒｏｌｉｆｅｒａｔｉｏｎ  ｉｎｄｕｃｅｄ  ｂｙ  ｍｅｃｈａｎｉｃａｌ  ｓｔｉｍｕｌａｔｉｏｎ  ｉｎ  ｏｓｅｔｅｏｂｌａｓｔｉｃ  ｃｅｌｌｓ）」，Ｂｉｏｃｈｅｍ．Ａｎｄ  Ｍｏｌｅｃｕｌａｒ  Ｂｉｏｌ．Ｉｎｔｅｒｎａｔｉｏｎａｌ，１９９７年１０月，第４３巻，第２号，ｐ．３３９−３４６
【非特許文献３１】ワング，Ｗ．ら（Ｗａｎｇ，Ｗ．，ｅｔ  ａｌ．）著，「電場による軟骨細胞マトリックス遺伝子の上方制御及び産物（Ｕｐ−ｒｅｇｕｌａｔｉｏｎ  ｏｆ  ｃｈｏｎｄｒｏｃｙｔｅ  ｍａｔｒｉｘ  ｇｅｎｅｓ  ａｎｄ  ｐｒｏｄｕｃｔｓ  ｂｙ  ｅｌｅｃｔｒｉｃ  ｆｉｅｌｄｓ）」，Ｃｌｉｎ．Ｏｒｔｈｏｐａｅｄｉｃｓ  &  Ｒｌｅａｔｅｄ  Ｒｅｓ．，第４２７巻，ｐ．１６３−１７３
【非特許文献３２】チュワン，Ｈ．ら（Ｚｈｕａｎｇ，Ｈ．，ｅｔ  ａｌ．）著，「機械的歪みによって誘発される骨芽細胞の増殖と呼応するＴＧＦ−β１  ｍＲＮＡの増加（Ｍｅｃｈａｎｉｃａｌ  ｓｔｒａｉｎ−ｉｎｄｕｃｅｄ  ｐｒｏｌｉｆｅｒａｔｉｏｎ  ｏｆ  ｏｓｔｅｏｂｌａｓｔｉｃ  ｃｅｌｌｓ  ｐａｒａｌｌｅｓ  ｉｎｃｒｅａｓｅｄ  ＴＧＦ−β１  ｍＲＮＡ）」，Ｂｉｏｃｈｅｍ．Ｂｉｏｐｈｙｓ．Ｒｅｓ．Ｃｏｍｍｕｍ．，１９９６年，第２２９巻，ｐ．４４９−４５３
【非特許文献３３】チュワン，Ｈ．ら（Ｚｈｕａｎｇ，Ｈ．，ｅｔ  ａｌ．）著，「カルシウム／カルモジュリン経路を含む機構の電気刺激によって誘発された骨芽細胞におけるＴＧＦ−β１  ｍＲＮＡのレベル（Ｅｌｅｃｔｒｉｃａｌ  ｓｔｉｍｕｌａｔｉｏｎ  ｉｎｄｕｃｅｓ  ｔｈｅ  ｌｅｖｅｌ  ｏｆ  ＴＧＦ−β１  ｍＲＮＡ  ｉｎ  ｏｓｔｅｏｂｌａｓｔｉｃ  ｃｅｌｌｓ  ｂｙ  ａ  ｍｅｃｈａｎｉｓｍ  ｉｎｖｏｌｖｉｎｇ  ｃａｌｃｉｕｍ／ｃａｌｍｏｄｕｌｉｎ  ｐａｔｈｗａｙ）」，Ｂｉｏｃｈｅｍ．Ｂｉｏｐｈｙｓ．Ｒｅｓ．Ｃｏｍｍｕｎ．，１９９７年，第２３７巻，ｐ．２２５−２２９
【非特許文献３４】ブライトン，Ｃ．Ｔ．ら（Ｂｒｉｇｈｔｏｎ，Ｃ．Ｔ．，ｅｔ  ａｌ．）著，「坐骨神経切除によるラット脛骨の廃用性骨粗鬆症の静電結合型電気刺激による防止及び治療（Ｐｒｅｖｅｎｔｉｏｎ  ａｎｄ  ｔｒｅａｔｍｅｎｔ  ｏｆ  ｓｃｉａｔｉｃ  ｄｅｎｅｒｖａｔｉｏｎ  ｄｉｓｕｓｅ  ｏｓｔｅｏｐｏｒｏｓｉｓ  ｉｎ  ｒａｔ  ｔｉｂｉａ  ｗｉｔｈ  ｃａｐａｃｉｔｉｖｅｌｙ  ｃｏｕｐｌｅｄ  ｅｌｅｃｔｒｉｃａｌ  ｓｉｔｍｕｌａｔｉｏｎ）」，Ｂｏｎｅ，１９８５年，第６巻，ｐ．８７−９７
【非特許文献３５】ブライトン，Ｃ．Ｔ．ら（Ｂｒｉｇｈｔｏｎ，Ｃ．Ｔ．，ｅｔ  ａｌ．）著，「静電結合型電場による脛骨癒着不能の治療（Ｔｒｅａｔｍｅｎｔ  ｏｆ  ｎｏｎｕｎｉｏｎ  ｏｆ  ｔｈｅ  ｔｉｂｉａ  ｗｉｔｈ  ａ  ｃａｐａｃｉｔｉｖｅｌｙ  ｃｏｕｐｌｅｄ  ｅｌｅｃｔｒｉｃａｌ  ｆｉｅｌｄ）」，Ｊ．ｏｆ  Ｔｒａｕｍａ，１９８４年，第２４巻，第２号，ｐ．１５３−１５５
【非特許文献３６】ブライトン，Ｃ．Ｔ．ら（Ｂｒｉｇｈｔｏｎ，Ｃ．Ｔ．，ｅｔ  ａｌ．）著，「直流、静電結合、または骨移植による脛骨癒着不能の治療（Ｔｉｂｉａｌ  ｎｏｎｕｎｉｏｎ  ｔｒｅａｔｅｄ  ｗｉｔｈ  ｄｉｒｅｃｔ  ｃｕｒｒｅｎｔ，ｃａｐａｃｉｔｉｖｅ  ｃｏｕｐｌｉｎｇ，ｏｒ  ｂｏｎｅ  ｇｒａｆｔ）」，Ｃｌｉｎ．ｏｆ  Ｏｒｔｈｏｐ．ａｎｄ  Ｒｅｌａｔｅｄ  Ｒｅｓ．，１９９５年，第３２１巻，ｐ．２２３−２３４